(57)【要約】【課題】外表面も内表面も除菌シートで拭けて常に清潔な状態を保つことができ、デザイン性に優れたマスクケースを提供する。【解決手段】マスクケース１は、一枚のシート体２を折りたたんで、収納部３を形成し、その中にマスクを収納することを特徴とする。シート体２は、外側生地と、内側生地と、外側生地と内側生地に挟まれた中層生地と、外側生地と中層生地を接着する第一の接着層と、内側生地と中層生地を接着する第二の接着層と、からなる層構造であり、外側生地は撥水加工生地、内側生地は合成皮革生地、中層生地は樹脂シートであることを特徴とする。【選択図】図１
0003233649.tif 000002
【実用新案登録請求の範囲】
【請求項１】
一枚のシート体を折りたたんで、収納部を形成し、その中にマスクを収納することを特徴とするマスクケース。
【請求項２】
前記シート体は、外側生地と、内側生地と、前記外側生地と前記内側生地に挟まれた中層生地と、前記外側生地と前記中層生地を接着する第一の接着層と、前記内側生地と前記中層生地を接着する第二の接着層と、からなる層構造であり、
前記外側生地は撥水加工生地、前記内側生地は合成皮革生地、前記中層生地は樹脂シートであることを特徴とする、請求項１に記載のマスクケース。
【請求項３】
前記マスクケースの前記内側生地に、少なくとも一本の、前記マスクを挟む伸縮性の紐を有することを特徴とする、請求項２に記載のマスクケース。
【請求項４】
前記シート体の折り目カ所に、マチを有することを特徴とする、請求項１乃至請求項３のいずれか１項に記載のマスクケース。
【請求項５】
上端に着脱可能なハンドルを有することを特徴とする、請求項１乃至請求項４のいずれか１項に記載のマスクケース。
【考案の詳細な説明】
【技術分野】
【０００１】  本考案は、外表面も内表面も除菌シートで拭けて常に清潔な状態を保つことができ、付けているマスクの内側に触れることなく簡単に収納できるマスクケースに関する。
【背景技術】
【０００２】  マスクが生活に欠かせない状態であり、例えば、外食の際、マスクを外す必要があり、マスクを机の上に置くと、マスクの内側、装着面が露出し、机もマスクも不衛生となるなどの問題もある。そのため、マスクケースが使われ始めている。特許文献１，２，３に抗菌性の素材でできたマスクケースや除菌可能なマスクケースなどが紹介されている。
【先行技術文献】
【０００３】
【特許文献１】実用新案登録第３２２９９８４号公報
【特許文献２】実用新案登録第３２３０２７３号公報
【特許文献３】実用新案登録第３２３０３５２号公報
【考案の概要】
【考案が解決しようとする課題】
【０００４】  今までのマスクケース、例えば、特許文献１，２，３で開示されたマスクケースおいては、以下の問題点があった。マスクケースの厚みが薄いため、マスクケースを使用する際、バックの中からマスクケースを探すのに手間がかかる。布のマスクケースの場合は洗うと縮み、シワが付くためアイロンがけが必要となる。また、布のマスクケースは清潔に保つ手段は洗濯するしかなく、何枚もストックを持っていないと、すぐに使いたいときに使えない。樹脂シートを利用したマスクケースは折れ曲がりやすく使い難い。また、ファッション性の観点からもマスクケース単独では持ち歩き難いなどの問題があった。そこで、これら課題を解決するためのマスクケースを提供することを目的とする。
【課題を解決するための手段】
【０００５】  請求項１のマスクケースは、一枚のシート体を折りたたんで、収納部を形成し、その中にマスクを収納することを特徴とするマスクケースである。例えば、一枚のシート状のものを、二つ折りした、がま口型マスクケースや、三つ折りした、ケリーバック型マスクケースなどである。
この様な構造のマスクケースは、マスクケースを開くと、一枚のシート状となる。【０００６】  請求項２のマスクケースは、請求項１に記載のマスクケースにおいて、シート体は、外側生地と、内側生地と、外側生地と内側生地に挟まれた中層生地と、外側生地と中層生地を接着する第一の接着層と、内側生地と中層生地を接着する第二の接着層と、からなる層構造であり、外側生地は撥水加工生地、内側生地は合成皮革生地、中層生地は樹脂シートであることを特徴とする。
この様なシートを用いたマスクケースは、外側も内側も除菌シートで拭けて常に清潔な状態を保つことができる。また、中層に樹脂シートを用いることで強度があり、マスクケースの強度が増す。【０００７】  請求項３のマスクケースは、請求項２に記載のマスクケースにおいて、マスクケースの内側生地に、少なくとも一本の、マスクを挟む伸縮性の紐を有することを特徴とする。
この様な構造のマスクケースは、折りたたんだマスクをマスクケースの内側の伸縮性の紐、例えばゴムバンドに挟むことができる。【０００８】  請求項４のマスクケースは、請求項１乃至請求項３のいずれか１項に記載のマスクケースにおいて、シート体の折り目カ所に、マチを有することを特徴とする。この様な構造のマスクケースは、マスクケースにマチがあるため、不織布マスクにおりたたみジワが付くことなく収納できる。また、様々なマスクの種類や大きさに適用できる。【０００９】  請求項５のマスクケースは、請求項１乃至請求項４のいずれか１項に記載のマスクケースにおいて、上端に着脱可能なハンドルを有することを特徴とする。この様な構造のマスクケースは、着脱可能なハンドルを付けたことで、マスクケースをバックの持ち手にぶら下げてバックの中に収納できる。マスクケースをバックの中から探しやすい。
【考案の効果】
【００１０】  請求項１のマスクケースでは、一枚のシートからできていることで、展開すると、一枚のシート状になるため、隅々まで綺麗に除菌シートで簡単に拭くことができ、清潔に保つことができる。
請求項２のマスクケースでは、マスクケースに使用する生地について、シート体は層構造の特徴を有し、強度があり、型崩れしない。マスクを安定的に保持できる。また、撥水加工生地に好みの柄のラミネート生地を使うことで、洋服に合わせたコーディネートが可能であり、ファッション性に優れ、高級感もある。一連の素材は、手に入れやすいので、自分で作ることができる。
請求項３のマスクケースでは、マスクを挟む伸縮性の紐を有することを特徴とし、例えばゴムバンドに挟むことができる。様々なマスクの種類や大きさに適用できる。
請求項４のマスクケースでは、シート体の折り目カ所に、マチを有することを特徴とし、不織布マスクにおりたたみジワが付かないで収納できる。また、手作りマスク等、厚みのあるマスクにも対応できる。
請求項５のマスクケースでは、上端に着脱可能なハンドルを有し、バックの持ち手にぶら下げることができる。マスクケースをバックの中から探しやすい。
【図面の簡単な説明】
【００１１】
【図１】がま口型マスクケースの外観図（ａ）および展開図（ｂ）である。
【図２】マスクケースのシート体の構造図（ａ）および断面図（ｂ）である。
【図３】ケリーバック型マスクケースの外観図（ａ）および展開図（ｂ）である。
【図４】本考案のマスクケースの写真、「がま口型マスクケース」（ａ）、および「ケリーバック型マスクケース」（ｂ）である。
【考案を実施するための形態】
【００１２】  本考案に関するマスクケースについて図面に基づいて説明する。図１，２，３に本考案の実施形態を示す。
図４は、本考案のマスクケースの写真であり、「がま口型マスクケース」（ａ）、および「ケリーバック型マスクケース」（ｂ）を示す。
【００１３】  図１は、本考案のがま口型マスクケース（二つ折りタイプのマスクケース）の外観図（ａ）および展開図（ｂ）である。
図１（ａ）に示すように、一枚のシート体２を折りたたんで、収納部３を形成し、その中にマスクを収納するマスクケース１である。
図１（ｂ）では展開図を示す。シート体２の内側に、マスクを挟む伸縮性の紐（ゴムバンド）９、を有する構造である。マスクケース１は、その上端に着脱可能なハンドル１１、を有する。
【００１４】  図２は、マスクケース１のシート体２の構造図（ａ）および断面図（ｂ）を示す。
シート体２は、外側生地４と、内側生地５と、外側生地４と内側生地５に挟まれた中層生地６と、外側生地４と中層生地６を接着する第一の接着層７と、内側生地５と中層生地６を接着する第二の接着層８と、からなる層構造である。
外側生地４は撥水加工生地、内側生地５は合成皮革生地、中層生地６は樹脂シートである。外側生地４は、撥水加工生地であり好みの柄を選択できる。内側生地６は、合成皮革生地、フェイクレザー生地である。中層生地６は、樹脂シートであり、ＰＥＴまたはＰＰ製のクリアファイルで代用できる。
外側生地４と中層生地６を接着する第一の接着層７、内側生地５と中層生地６を接着する第二の接着層８、で各生地が接着され一体化する。第一の接着層７、第二の接着層８は、例えば両面接着テープを用いる。
この様なシート体２を用いたマスクケース１は、外表面も内表面も除菌シートで拭くことができ、常に清潔な状態を保つことができる。シート体２の中層生地６に樹脂シートを用いることで強度があり、型崩れをしない。
【００１５】  図３は、本考案のケリーバック型マスクケースの外観図（ａ）および展開図（ｂ）である。図３（ａ）に示すように、マスクケース２１は、ケリーバック型マスクケース（三つ折りタイプのマスクケース）であり、マスクを挟む、伸縮性の紐（ゴムバンド）９、マチ１０を有する構造である。マスクケース２１は、その上部に着脱可能なハンドル２２、を有する。図３（ｂ）では、展開図を示す。マスクケース２１はシート体２を三つ折りしたタイプのケリーバック型であり、マスク３１を挟むための伸縮性の紐９、折り目カ所にマチ１０を有する構造である。図３（ｂ）は、マスク３１を挟んだ例である。マチ１０があることから手作りマスク等、厚みのあるマスクにも対応できる。
図４は、本考案のマスクケース１、２１の写真である。それぞれ、「がま口型マスクケース」（ａ）、および「ケリーバック型マスクケース」（ｂ）、である。ファッション性に優れ、高級感もある。シート体２の外側生地４は、撥水加工生地であり好みの柄を選択できる。洋服、着物等の和装においてもコーディネートが可能である。
【産業上の利用可能性】
【００１６】本考案は、衛生的、デザイン性に優れたマスクケースとして利用可能である。
【符号の説明】
【００１７】  １  マスクケース        ２  シート体            ３  収納部
４  外側生地            ５  内側生地            ６  中層生地
７  第一の接着層        ８  第二の接着層
９  伸縮性の紐        １０  マチ              １１  ハンドル
２１  マスクケース      ２２  ハンドル
３１  マスク
【図１】
0003233649.tif 000003
【図２】
0003233649.tif 000004
【図３】
0003233649.tif 000005
【図４】
0003233649.tif 000006